(57)【特許請求の範囲】
【請求項１】
底板、カバー、複数のブレード及び液体を備え、
上記底板は、足裏に相当する形状の第１領域と、この第１領域の全周を囲む第１水平フランジ部とを有し、
上記カバーは、上記第１領域に対向する形状の第２領域と、上記第１水平フランジ
部に対向する形状の第２水平フランジ部とを有し、
上記ブレードは、上記第１領域の上面から起立するように形成され、
上記ブレードは、互に所定の間隔を隔てて上記底板のつま先側から踵側に至る中心線に略直交するように配置され、
上記ブレードは、互にスリットによって隔てられた複数の平板ブレード要素からなり、
上記平板ブレード要素は、上記ブレード毎に、つま先側または踵側のいずれかに向って傾斜しており、
上記ブレードにおいて、上記第１領域の横幅方向の両端側に位置する平板ブレード要素は、上方から見て、つま先側または踵側に向かって末広がりになるように配置され、
上記第１水平フランジ部と第２水平フランジ部とは、相互に接合されて上記第１領域と第２領域とによって挟まれた空間を形成し、
上記液体は、上記空間に密封されている
ことを特徴とする履物の底部材。
【請求項２】
上記複数のブレードは、上記第１領域の長手方向の中央部からつま先側に至る範囲に位置する複数のつま先側ブレードと、この中央部から踵側に至る範囲に位置する複数の踵側ブレードとから構成され、
上記つま先側ブレードを構成する複数の平板ブレード要素は、このつま先側ブレード毎に、それぞれつま先側または踵側のいずれかに向って傾斜しており、
上記踵側ブレードを構成する複数の平板ブレード要素は、この踵側ブレード毎に、それぞれ上記つま先側ブレードを構成する平板ブレード要素とは逆の方向に向って傾斜しており、
上記つま先側ブレードにおいて、上記第１領域の横幅方向の両端側に位置する平板ブレード要素は、上方から見て、つま先側または踵側に向かって末広がりになるように傾斜し、
上記踵側ブレードにおいて、上記第１領域の横幅方向の両端側に位置する平板ブレード要素は、上方から見て、上記つま先側ブレードを構成する平板ブレード要素とは逆の方向に向かって末広がりに傾斜している
ことを特徴とする請求項１に記載の履物の底部材。
【請求項３】
つま先側または踵側のいずれかに最も近い上記ブレードは、スリットのない１枚の平板ブレード要素からなる
ことを特徴とする請求項１または２に記載の履物の底部材。
【請求項４】
上記第１領域の内周壁と上記複数のブレードの横幅方向の両端側との間には、第１仕切り壁がこの第１領域の上面から起立するように形成され、
上記第１仕切り壁の内周側または外周側のいずれかにおいて、この第１仕切り壁と所定の間隔を隔てた位置に、第２仕切り壁が上記第２領域の下面から起立するように形成され、
上記第１仕切り壁と第２仕切り壁とには、それぞれ複数の箇所に溝または切欠き部が設けてあり、
上記第１仕切り壁に設けた溝または切欠き部と、上記第２仕切り壁に設けた溝または切欠き部とは、この溝または切欠き部の中心線に沿う方向から見て、互いに重ならないように配置されている
ことを特徴とする請求項１または２に記載の履物の底部材。
【請求項５】
上記第１領域の内周壁と上記複数のブレードの横幅方向の両端側との間には、第１仕切り壁がこの第１領域の上面から起立するように形成され、
上記第１仕切り壁の内周側または外周側のいずれかにおいて、この第１仕切り壁と
所定の間隔を隔てた位置に、第２仕切り壁が上記第２領域の下面から起立するように形成され、
上記第１仕切り壁と第２仕切り壁とには、それぞれ複数の箇所に溝または切欠き部が設けてあり、
上記第１仕切り壁に設けた溝または切欠き部と、上記第２仕切り壁に設けた溝または切欠き部とは、この溝または切欠き部の中心線に沿う方向から見て、互いに重ならないように配置されている
ことを特徴とする請求項３に記載の履物の底部材。
【請求項６】
上記履物の底部材は、履物の中底または履物の本底のいずれかである
ことを特徴とする請求項１または２に記載の履物の底部材。
【請求項７】
上記履物の底部材は、履物の中底または履物の本底のいずれかである
ことを特徴とする請求項３に記載の履物の底部材。
【請求項８】
上記履物の底部材は、履物の中底または履物の本底のいずれかである
ことを特徴とする請求項４に記載の履物の底部材。
【請求項９】
上記履物の底部材は、履物の中底または履物の本底のいずれかである
ことを特徴とする請求項５に記載の履物の底部材。
【発明の詳細な説明】
【技術分野】
【０００１】
本発明は、履物の底部材に関し、特に安定感のある快適な歩行感を得つつ歩行時の衝撃を吸収すると共に、足裏を刺激してマッサージ効果を発揮し、さらには底部材に密封した液体の漏れを防止し得る履物の底部材に関する。
【背景技術】
【０００２】
歩行において踵(かかと)が地面に着地するときには、踵に加わる衝撃力は体重の約１．２５倍、また、ジョギングにおいては、約３倍にもなるといわれている。この衝撃は踵、くるぶし、膝、さらに腰へと伝達され、これらの部位に負担が生じる。また踵が地面に着地したときに加わる衝撃に比べて、足指で地面を蹴り上げるときの衝撃の方が大きいことも判明している。【０００３】
そこで本発明者は、歩行時に足裏が地面に着地する際に加わる衝撃を分散吸収するとともに、足裏を刺激してマッサージ効果を発揮し得る靴の中底を提案した(例えば、特許文献1参照。)。【０００４】
図１７を参照しつつ、上記特許文献1に記載の靴の中底Ａの構成を説明する。すなわち上記特許文献1に記載の靴の中底Ａは、靴底の形状に相似する底板１とカバー２とを備えている。なお底板１とカバー２とは、いずれも熱可塑性樹脂を使用する。底板１には、足裏が接地する形状に相当する第１の凹部１１が形成してあり、カバー２には、この第１の凹部に対向する第２の凹部２１が形成されている。【０００５】
底板１の第１の凹部１１には、複数のブレード３が一体的に起立して形成してある。複数のブレード３は、それぞれ底板１の長手方向と略直交する方向に所定間隔で整列配置してあり、踵またはつま先に向かって傾斜している。底板１の第１の凹部１１の内周壁１４と、複数のブレード３の横幅方向の両端との間には、この底板から一体的に起立する仕切り壁１５が設けてある。【０００６】
なお複数のブレード３は、底板１に平行な方向であって踵からつま先に向かって見たときには、それぞれブレードの横幅方向の両端部が下方に傾斜する略台形形状に形成してあり、この横幅方向の中途部には、液体４が移動可能な溝３１が２箇所形成されている。【０００７】
底板１とカバー２とは、第１の凹部１１と第２の凹部２１との外周を取り巻く接合部６において相互に溶着されており、この第１の凹部と第２の凹部とで挟まれた密閉空間５に、水やプロピレン・グリコール等の液体４が密封されている。【０００８】
次に上記靴の中底Ａの作用を説明する。さて歩行においては、最初に足の踵の部分が着地する。次いで土踏まずの外側へと接地面が広がり、さらに足指の付け根の膨らみ部分（ボール部）に体重が移動する。ボール部に体重を乗せ終わると、左右や前後へのふらつきを抑えようとして、各足指は左右方向に広がる。次に重心を前方向に移動させながら、ボール部から足裏が屈曲してゆき、踵の部分が浮き上がって、足指全体で地面を蹴り上げる。【０００９】
以上の一連の歩行動作において、例えば踵が着地する際には、中底Ａにおいて踵が当接する部分に、体重による押圧力が集中的に加わり、その押圧力は、いわゆるパスカルの原理により、第１の凹部１１と第２の凹部２１とで挟まれた密閉空間５に密封された液体４を介して、この密閉空間のあらゆる内面に等しく伝わる。【００１０】
ところで液体４を密封した密閉空間５に、例えば踵の部分が当接すると、この当接した部分は下方に変位して、その位置にある液体４を押圧する。ここで水やプロピレン・グリコール等の液体４は、非圧縮性であるため、それ自体は収縮しない。したがって例えば踵の部分が当接した部分にある液体４は、他の押圧されていない部分に移動しようとする。【００１１】
しかるに押圧された液体４が、他の押圧されていない部分に移動するためには、密閉空間５が変形したり膨らんだりしなければならない。密閉空間５が変形したり膨らんだりするためには、この密閉空間を構成するシート状の第１の凹部１１と第２の凹部２１とを、引き伸ばしたり変形させたりする必要があり、そのためには、液体４の圧力が増大することが必要となる。【００１２】
すなわち押圧された液体４が、他の押圧されていない部分に移動すると、密閉空間５内の液体４の圧力は増大し、押圧された部分は、この増大した液体４の圧力による反力を受けることになる。したがって例えば踵が地面に着地する際に加わる衝撃を、この液体４の反力によって吸収することができる。【００１３】
ところで中底Ａがブレード３を備えていない場合は、例えば踵が接地するときには、密封された液体４は、密閉空間５内を四方八方に容易に移動するため、カバー２において踵によって押圧された部分が底板１に容易に底付きし、踵が接地するときの衝撃力を、ほとんど緩和することができない。また密封された液体４が、密閉空間５内を四方八方に容易に移動すると、中底Ａが足裏を支える力が不安定になって、履き心地が悪くなる。【００１４】
しかるに中底Ａが複数のブレード３を備える場合には、例えば踵が接地するときに、この複数のブレードによって、密封された液体４の移動が妨げられる。液体４の移動が妨げられると、カバー２において踵によって押圧された部分が沈むことに対して抵抗力が生じ、底板１に底付きし難くなって、踵が接地するときの衝撃力を緩和することができる。【００１５】
ところで複数のブレード３は、踵またはつま先に向かって傾斜している。ここで複数のブレード３が踵に向かって傾斜する場合について説明すると、踵が接地するときには、中底Ａにおいて踵によって押圧された部分の液体４は、密閉空間５内において、つま先に向かって移動しようとする。しかるにブレード３は、液体４がつま先に向かう移動方向とは逆の方向、すなわち踵に向かう方向に傾斜しているため、この液体の移動を妨げる抵抗力がより強くなり、したがって踵が接地するときの衝撃力を、より効果的に緩和することができる。【００１６】
なお複数のブレード３がつま先に向かって傾斜する場合には、つま先が接地するときの衝撃力を、より効果的に緩和することができる。さらには、複数のブレード３の一部が踵に向かって傾斜し、他のブレードがつま先に向かって傾斜する場合には、踵及びつま先が接地するときの衝撃力を、それぞれより効果的に緩和することができる。【００１７】
以上に加えて複数のブレード３は、それぞれ底板１に起立するように形成されており、上述したように踵またはつま先に向かって傾斜している。したがって例えば踵によって中底Ａが押圧されると、ブレード３の弾性力による反発力が生じる。よって上述した液体４の作用に加え、ブレード３の反発力によって、カバー２において押圧された部分が沈むことに対して、より強い抵抗力を発揮する。【００１８】
このため、例えば踵によって中底Ａが押圧されたときに、カバー２を底板１に底付きし難くして、踵が接地するときの衝撃力を、さらに効果的に緩和することができる。また足裏を支える力が安定し、履き心地が良い状態になる。【００１９】
さらには歩行に際して、複数のブレード３の先端が、順次カバー２を介して足裏を刺激するため、足裏をマッサージする効果を発揮する。ここで液体４が密封されていない場合には、複数のブレード３の先端がカバー２を介して足裏に当接する力が強くなり、足裏を過度に刺激して、痛みを生じる場合がある。【００２０】
しかるに液体４が密封されている場合には、この液体の抵抗力によって、複数のブレード３の先端がカバー２を介して足裏に当接する力が適度に抑えられるため、心地よいマッサージ効果が得られる。【００２１】
以上説明したように、特許文献1に記載の靴の中底Ａは、この中底内に密封した液体４と、底板１から起立する複数の傾斜したブレード３によって、歩行時に足裏が地面に着地する際に加わる衝撃を分散吸収するとともに、足裏を刺激して優れたマッサージ効果を発揮する。【００２２】
しかるに上述した中底Ａには、歩行またはジョギングの一連の動作において、踵、土踏まずの外側、ボール部及び足指が接地する際に、繰り返し大きな押圧力が掛かる。また中底Ａの一部が押圧されると、その部分に位置する液体４も押圧され、この押圧力によって、密閉された液体４の圧力が急激に増大する。さらに押圧された部分の液体４は、他の押圧されていない部分に急速に移動して衝撃力を生み出す。【００２３】
すなわち歩行等に際しては、中底Ａを構成する底板１及びカバー２に、引張応力、圧縮応力、せん断応力あるいは曲げ応力の他、急激に上昇する液体４の高い圧力と、この液体の急速な移動による衝撃力とが、繰り返し発生する。このため底板１及びカバー２には、液体４が外部に漏れ出ることを防止する手段を講じる必要があった。特に底板１とカバー２との接合部６から、液体４が漏れることを防止することが必要であった。【００２４】
そこで本発明者は、靴の中底Ａにおいて密封した液体４の漏洩を防止すべく、次のような手段を提案した。【００２５】
底板１の第１の凹部１１、及びカバー２の第２の凹部２１の外周であって、両者を接合する接合部６の板厚を厚くした（特許文献１及び２参照。）。接合部６の強度を増すためである。【００２６】
また接合部６の幅を、全周にわたって均一にした（特許文献１及び３参照。）。接合部６の単位面積当りの接合強度を、全周にわたって均一にすることにより、接合強度が弱くなる部分が生じることを回避するためである。【００２７】
さらには、ブレード３の横幅方向の両端と、底板１の第１の凹部１１の内周壁１４との間に、この底板から一体的に起立する仕切り壁１５を、全周にわたって形成した（特許文献１参照。）。中底Ａが押圧されることによって急速に移動する液体４が、接合部６に直接当たることを回避して、液体４の漏れを生じ難くするためである。
【特許文献１】国際公開公報  ＷＯ２０１０/０２３７９３
【特許文献２】特開平６−１４８０５号公報
【特許文献３】特開２０００−２３６９０８号公報
【発明の開示】
【００２８】
しかるに上述した液体の漏れを防止する手段を講じても、底板とカバーとの接合部から、液体が漏れる事例が生じた。したがって密封した液体が外部に漏れることを防止するためには、さらなる改良が必要であることが判明した。
【００２９】
本発明者は、鋭意研究の結果、密封した液体が外部に漏れることを防止するためには、液体の急激な移動を抑制することによって、液体が接合部に当たる衝撃力を小さくすること、及び液体の流れを妨げることによって生じる局部的な圧力の上昇を抑えることが有効であることに着目し、この知見に基づき本発明を完成した。
【００３０】
すなわち本発明による履物の底部材は、底板、カバー、複数のブレード及び液体を備えている。上記底板は、足裏に相当する形状の第１領域と、この第１領域の全周を囲む第１水平フランジ部とを有している。上記カバーは、上記第１領域に対向する形状の第２領域と、上記第１水平フランジ部に対向する形状の第２水平フランジ部とを有している。
【００３１】
上記ブレードは、上記第１領域の上面から起立するように形成されている。上記ブレードは、互に所定の間隔を隔てて、上記底板のつま先側から踵側に至る中心線に略直交するように配置されている。上記ブレードは、互にスリットによって隔てられた複数の平板ブレード要素からなる。上記平板ブレード要素は、上記ブレード毎に、つま先側または踵側のいずれかに向って傾斜している。
【００３２】
上記ブレードにおいて、上記第１領域の横幅方向の両端側に位置する平板ブレード要素は、上方から見て、つま先側または踵側に向かって末広がりになるように配置されている。上記第１水平フランジ部と第２水平フランジ部とは、相互に接合されて上記第１領域と第２領域とによって挟まれた空間を形成し、上記液体は、上記空間に密封されている。
【００３３】
ここで「底板」、「カバー」及び「ブレード」の材質は、その種類を問わないが、弾性を有することが望ましい。例えば熱可塑性樹脂、熱硬化性樹脂、合成ゴム、天然ゴム材が該当する。また「底板」、「カバー」及び「ブレード」は、射出成形あるいはプレス成形することが望ましい。さらには「底板」と「ブレード」とは、一体成形することが望ましい。
【００３４】
「足裏に相当する形状」とは、歩行、ジョギング、及び立ち止まった状態において、足裏が接地する形状に略相似する形状を意味する。なお５本の足指及びこれらの足指の付け根を含まないようにすることが望ましい。
【００３５】
「第１領域」及び「第２領域」は、底板とカバーとが互いに対応する平面に、それぞれ設けた凹状の窪みであることが望ましいが、凹状の窪みを形成しない平面の場合も含む。「第１水平フランジ部」及び「第２水平フランジ部」の外周形状は、それぞれ靴底の内周形状に略相似することが望ましいが、外周辺を切り落として靴底のサイズに合わせることができるように、大きめの形状にすることが、より望ましい。
【００３６】
「スリット」は、ブレードを上端から根本まで分離するものが望ましいが、ブレードを上端から根本までの高さの５０％以上にわたって分離する場合も含む。
【００３７】
「上記ブレードにおいて、上記第１領域の横幅方向の両端側に位置する平板ブレード要素は、上方から見て、つま先側または踵側に向かって末広がりになるように配置されている。」とは、例えばブレードが４枚の平板ブレード要素からなる場合には、少なくとも両端の２枚の平板ブレード要素が、上方から見て、つま先側または踵側に向かって末広がりになるように配置されていることを意味している。すなわち残りの２枚の平板ブレード要素は、互いに末広がりになるように配置されている場合と、互いに一列になるように配置されている場合との双方を含む。
【００３８】
なお「履物の底部材」の「履物」には、紳士靴及び婦人靴の双方を含み、スポーツシュ
ーズ、スニーカー、ストラップ付き又はストラップ無しサンダル、業務用靴、スキー靴、ゴルフ靴、ハイキング靴、ウォーキング靴、ブーツ、長靴、上履き、草履、スリッパ及びソックス等も該当する。また「底部材」には、いわゆる中底及び本底を含む。
【００３９】
次に本発明の作用効果を説明する。すなわち本発明による履物の底部材は、上述した従来技術と同様に、中底内に密封した液体と、底板から起立する複数の傾斜したブレードとによって、歩行時に足裏が地面に着地する際に加わる衝撃を分散吸収するとともに、足裏を刺激して優れたマッサージ効果を発揮する。以上に加えて本発明による履物の底部材は、この底部材内に密封した液体の漏れを、より効果的に防止する。
【００４０】
次に密封した液体の漏れを防止する作用効果について、例えば踵が接地する場合を例に挙げて説明する。すなわち本発明による履物の底部材は、ブレードを互にスリットによって隔てられた複数の平板ブレード要素によって構成し、横幅方向の両端側に位置する平板ブレード要素を、上方から見て、つま先側または踵側に向かって末広がりになるように配置している。
【００４１】
例えば踵によってカバーの表面の一部が押圧されると、その押圧された箇所にある液体も押圧され、密閉空間において押圧されていない部分に急激に移動する。しかるに密閉空間内には、複数のブレードが、互いに所定の間隔を隔てて設けてある。このため押圧された液体は、この複数のブレードによって移動を妨げられ、ブレード間の間隙に沿って中底の横幅方向に急激に移動する。
【００４２】
ここで底部材の横幅方向の両端側に位置する平板ブレード要素は、上方から見て、つま先側または踵側に向かって末広がりになるように配置されている。したがってブレード間の間隙に沿って横幅方向に急激に移動する液体は、両端側に位置する平板ブレード要素によって進路を曲げられ、ブレード間の間隙の両端から、つま先側または踵側に向かって斜めに流出する。
【００４３】
したがって、ブレード間の間隙の両端から流出する液体は、その外側に位置する底板とカバーとの接合部に、斜めの角度で衝突する。すなわち急速に移動する液体を、底板とカバーとの接合部に斜めに衝突させれば、この接合部に直交するように衝突させる場合に比べて、この衝突部分に掛る液体の衝撃力を、大幅に低くすることができる。
【００４４】
また液体を底板とカバーとの接合部に斜めに衝突させれば、この接合部に直交するように衝突させる場合に比べて、液体を、踵またはつま先方向に向けて、スムーズに変更させることができる。すなわち液体を底板とカバーとの接合部に直交するように衝突させると、衝突した液体は、踵またはつま先方向に向かって逃げ難くなって流れが堰き止められ、これにより衝突部分における液体の静圧が上昇する。
【００４５】
したがって、液体を底板とカバーとの接合部に斜めに衝突させれば、衝突した液体は、踵またはつま先方向に向かって逃げ易くなり、液体の静圧が衝突部分において上昇することを抑制することができる。
【００４６】
なおブレードを互にスリットによって隔てられた複数の平板ブレード要素によって構成することによって、次の作用効果を発揮させることができる。すなわち末広がりに配置した平板ブレード要素において、スリットを設けない場合には、平板ブレード要素は、上方から押圧されても容易には曲がらないため、足裏への刺激が強くなりすぎて、痛みを生じる恐れがある。そこでスリットを設けることによって、平板ブレード要素の曲げ剛性が高くなり過ぎることを回避し、足裏に適度な刺激を与えるようにして、心地よいマッサージ効果を発揮させることができる。
【００４７】
また複数の平板ブレード要素の間にスリットを設けることによって、踵等で押圧された液体を、このスリットを介して、踵またはつま先側に流出させることができる。したがってブレード間の間隙に沿って、横幅方向に液体が移動する速度、及び封じ込め圧力が抑えられて、接合部への液体の衝撃力を低くすることができる。
【００４８】
なおブレードを構成する複数のブレード要素を平板で形成することによって、ブレード要素自体の曲げ剛性を抑え、足裏に適正な刺激を与えて、心地よいマッサージ効果を発揮させることができる。
【００４９】
さて底板の第１領域の長手方向の中央部を境にして、境の両側に位置するブレードについて、傾斜方向を相互に逆にすれば、踵が着地するとき、及びつま先で蹴り上げるときの双方において、衝撃力を効果的に緩和させることができる。
【００５０】
そこで本発明による他の履物の底部材では、上記複数のブレードを、
上記第１領域の長手方向の中央部からつま先側に至る範囲に位置する複数のつま先側ブレードと、この中央部から踵側に至る範囲に位置する複数の踵側ブレードとから構成する。上記つま先側ブレードを構成する複数の平板ブレード要素を、このつま先側ブレード毎に、それぞれつま先側または踵側のいずれかに向って傾斜させる。
【００５１】
上記踵側ブレードを構成する複数の平板ブレード要素を、この踵側ブレード毎に、それぞれ上記つま先側ブレードを構成する平板ブレード要素とは逆の方向に向って傾斜させる。上記つま先側ブレードにおいて、上記第１領域の横幅方向の両端側に位置する平板ブレード要素を、上方から見て、つま先側または踵側に向かって末広がりになるように傾斜させる。上記踵側ブレードにおいて、上記第１領域の横幅方向の両端側に位置する平板ブレード要素を、上方から見て、上記つま先側ブレードを構成する平板ブレード要素とは逆の方向に向かって末広がりに傾斜させる。
【００５２】
ところで、つま先側または踵側に最も近いブレードについて、平板ブレード要素を隔てるスリットから液体が流出すると、そのスリットに対向する位置にある接合部に、液体の衝撃力が直接加わる。特に、つま先側に最も近い平板ブレード要素が、踵側に向かって末広がりに傾斜している場合、あるいは踵側に最も近い平板ブレード要素が、つま先側に向かって末広がりに傾斜している場合には、スリットから液体がより早く流出し、液体の衝撃力はより強くなる。
【００５３】
そこでつま先側または踵側に最も近いブレードについては、スリットのない１枚の平板ブレード要素とすることによって、スリットから流出する液体の衝撃力が生じないようにできる。
【００５４】
ところで、例えば踵によって密閉された液体の一部が押圧されると、押圧された部分の液体は、ブレード間の間隙に沿って底板の横幅方向に移動し、ブレード間の間隙の両端から流出して、外側に位置する底板とカバーとの接合部に衝突する。したがってブレード間の間隙の両端から流出する液体を、直接接合部に衝突させなければ、液体の漏れを効果的に防止できる。そこで本発明者は、特許文献１に記載されているような、ブレードの横幅方向の両端と、底板の第１の凹部の内周壁の間に、この底板から一体的に起立する１重の仕切り壁を、全周にわたって形成する手段を採用した。
【００５５】
しかるに１重の仕切り壁だけでは、必ずしも、その外側に位置する接合部から液体が漏れることを防止することができないことが判明した。すなわち、例えば踵によって密封された液体を押圧すると、押圧された液体は、他の押圧されていない部分に移動し、その部
分の密封空間を変形及び膨張させる。
【００５６】
このため押圧されていない部分において、１重の仕切り壁の上端とカバーの下面との接触部分が開き、移動してきた液体が、この開いた隙間を通って、その外側に位置する接合部に直接衝突する。したがって接合部から液体が漏れ易くなる。
【００５７】
そこで本発明による他の履物の底部材では、上記第１領域の内周壁と上記複数のブレードの横幅方向の両端側との間に、第１仕切り壁を、この第１領域の上面から起立するように形成する。また上記第１仕切り壁の内周側または外周側のいずれかにおいて、この第１仕切り壁と所定の間隔を隔てた位置に、第２仕切り壁を上記第２領域の下面から起立するように形成する。
【００５８】
さらに上記第１仕切り壁と第２仕切り壁とには、それぞれ複数の箇所に溝または切欠き部を設ける。また上記第１仕切り壁に設けた溝または切欠き部と、上記第２仕切り壁に設けた溝または切欠き部とを、この溝または切欠き部の中心線に沿う方向から見て、互いに重ならないように配置する。
【００５９】
すなわち仕切り壁を２重にして、一方の仕切り壁を底板から起立して形成し、所定の間隙を隔てて、他方の仕切り壁をカバーから垂設するように形成することによって、液体の移動によって、例え双方の仕切り壁の上端とカバーの下面との間に隙間が生じても、内側に位置する仕切り壁の上端に開口する隙間を通過する液体は、外側に位置する仕切り壁の根元部分に妨げられるため、その外側に位置する接合部に直接衝突することを回避できる。
【００６０】
また第１仕切り壁と第２仕切り壁とに、それぞれ複数の箇所に溝または切欠き部を設けることによって、外側に位置する仕切り壁と接合部の内周側との間の間隙に流入した液体が、溝または切欠き部から第１仕切り壁や第２仕切り壁の内側に逃げ易くして、この間隙内に封じ込められることを回避し、この封じ込めによる圧力の上昇を抑えることができる。
【００６１】
さらに第１仕切り壁に設けた溝または切欠き部と、第２仕切り壁に設けた溝または切欠き部とを、この溝または切欠き部の中心線に沿う方向から見て、互いに重ならないように配置することによって、押圧されてブレード間の間隙の両端から流出する液体が、溝または切欠き部を通じて、底板とカバーとの接合部に直接衝突することを回避できる。
【図面の簡単な説明】
【００６２】
【図１】カバーの一部を切り取ったときの靴の中底を示す上面図である。
【図２】底板とカバーとを分離した状態において、長手方向に沿って切断した断面図である。
【図３】底板とカバーとを接合した状態において、長手方向に沿って切断した断面図である。
【図４】底板とカバーとを接合した状態において、横幅方向に沿って切断した断面図である。
【図５】平板ブレード要素を分離するスリットの一部拡大正面図である。
【図６】第１仕切り壁及び第２仕切り壁の一部拡大上面図である。
【図７】第１仕切り壁及び第２仕切り壁に設けた溝及び切欠き部を、溝及び切欠き部の中心線に沿う方向から見たときの拡大図である。
【図８】平板ブレード要素の配置の例を示す上面図である。
【図９】平板ブレード要素の他の配置の例を示す上面図である。
【図１０】平板ブレード要素の末広がり方向の例を示す上面図である。
【図１１】平板ブレード要素の末広がり方向と傾斜方向との関係を示す上面図及び断面図である。
【図１２】平板ブレード要素の末広がり方向と傾斜方向との他の関係を示す上面図及び断面図である。
【図１３】第１仕切り壁及び第２仕切り壁の例を示す拡大断面図である。
【図１４】第１仕切り壁及び第２仕切り壁において、溝または切欠き部を設けないことが望ましい箇所を示す靴の中底の上面図である。
【図１５】中底の位置を示す靴の一部分解斜視図である。
【図１６】本底の位置を示す靴の一部分解斜視図である。
【図１７】カバーの一部を切り取ったときの従来例による靴の中底を示す上面図である。
【符号の説明】
【００６３】
１    底板
２    カバー
３、３ｃ、３ｄ    ブレード
３ａ    つま先側ブレード
３ｂ    踵側ブレード
４    液体
５    密閉空間
６    接合部
１１    第１領域
１２    第１水平フランジ部
１４    内周壁
１５    第１仕切り壁
２１    第２領域
２２    第２水平フランジ部
３１    スリット
３２、３３    平板ブレード要素
Ａ    中底
【発明を実施するための最良の形態】
【００６４】
図１〜図７を参照しつつ、本発明による履物の底部材について、靴の中底を例に挙げて説明する。さて図１に示すように、本発明による靴の中底Ａは、底板１、カバー２、複数のブレード３及び液体４を備えている。【００６５】
底板１は、足裏に相当する形状の第１領域１１と、この第１領域の全周を囲む第１水平フランジ部１２とを有している。またカバー２は、底板１に設けた第１領域１１に対向する第２領域２１と、第１水平フランジ部１２に対向する第２水平フランジ部２２とを有している。なお図１から明らかなように、底板１の第１領域１１は、踵から足指の付け根の手前までの長さであって、横幅は、足裏が接地する幅に形成してある。【００６６】
なお図２〜図４に示すように第１領域１１は、第１水平フランジ部１２の上面から僅かに下方に窪んだ凹部形状となるように形成してあり、第２領域２１は、第２水平フランジ部２２の下面から僅かに上方に窪んだ凹部形状となるように形成してある。また第１領域１１の上面と第２領域２１の下面とは、第１水平フランジ部１２と第２水平フランジ部２２との合せ面に向かって、緩やかに傾斜する内周壁１４、２４を介して連結しており、応力集中を回避している。【００６７】
図１〜図４に示すように、底板１の第１領域１１には、複数のブレード３が、この底板
から起立するように一体的に形成されている。複数のブレード３は、互いに所定の間隔を隔てて、底板１のつま先側から踵側に至る中心線に略直交するように配置されている。図１及び図４に示すようにブレード３は、互いに中心に位置するスリット３１によって隔てられた、２枚の平板ブレード要素３２、３３によって構成してある。【００６８】
さて図２及び図３に示すようにブレード３は、第１領域１１の長手方向の中央部を境にして、それぞれ逆方向に傾斜している。【００６９】
すなわち長手方向の中央部からつま先側に至る範囲に位置するブレード（以下「つま先側ブレード３ａ」と呼ぶ。）は、踵側に向かって傾斜しており、中央部から踵側に至る範囲に位置するブレード（以下「踵側ブレード３ｂ」と呼ぶ。）は、つま先側に向かって傾斜している。【００７０】
なお全てのブレード３を、つま先側に向かって傾斜させ、あるいは踵側に向かって傾斜させてもよく、またつま先側ブレード３ａをつま先側に向かって傾斜させ、踵側ブレード３ｂを踵側に向かって傾斜させてもよい。さらにはつま先側ブレード３ａと踵側ブレード３ｂとの境を、長手方向中央部に替えて、つま先側寄り、または踵側寄りに設定してもよい。【００７１】
図１に示すように、ブレード３を構成する２枚の平板ブレード要素３２、３３は、上方から見て、それぞれのブレード毎に、つま先側または踵側のいずれかに向かって末広がりになるように配置されている。【００７２】
すなわちつま先側ブレード３ａを構成する平板ブレード要素３２、３３は、踵側に向かって末広がりになるように配置され、踵側ブレード３ｂを構成する平板ブレード要素３２、３３は、つま先側に向かって末広がりになるように配置されている。【００７３】
図１に示すように、つま先側及び踵側に最も近いブレード３ｃ、３ｄは、それぞれスリットのない１枚の平板ブレード要素によって形成されている。つま先側に最も近いブレード３ｃは、踵側に向かって傾斜しており、踵側に最も近いブレード３ｄは、つま先側に向かって傾斜している。【００７４】
なお靴の使用態様によっては、スリットのない１枚の平板ブレード要素を省いてもよく、２枚以上隣接させて設けてもよく、また踵側からつま先側に至る任意の位置に設けてもよい。【００７５】
また図４に示すスリット３１は、図５の（Ａ）に示すように、平板ブレード３２と３３とを、上端から根本まで分離するものが望ましい。但し図５の（Ｂ）に示すように、ブレード３２と３３とを、上端から根本までの高さの５０％以上にわたって分離して、根本部分に両者を連結する部分を残すように形成してもよい。【００７６】
さて図１〜図４に示すように、底板１の第１領域１１の内周壁１４とブレード３の横幅方向の両端側との間には、第１仕切り壁１５がこの第１領域の上面から起立するように形成されている。また第１仕切り壁１５の内周側には、この第１仕切り壁と所定の間隔を隔てた位置に、第２仕切り壁２５が第２領域２１の下面から起立するように形成されている。なお図２〜図４に示す第１仕切り壁１５及び第２仕切り壁２５は、形状や構成を解り易くするため、実際より大きいサイズで示してある。【００７７】
また図６及び図７の（Ａ）に示すように、第１仕切り壁１５と第２仕切り壁２５とには、それぞれ複数の箇所に溝１５１、２５１が設けてある。第１仕切り壁１５に設けた溝１
５１と、第２仕切り壁２５に設けた溝２５１とは、この溝または切欠き部の中心線に沿う方向から見て、互いに重ならないように配置されている。【００７８】
なお第１仕切り壁１５と第２仕切り壁２５とにそれぞれ設けた溝１５１、２５１に替えて、図７の（Ｂ）に示すように、それぞれ切欠き部１５１、２５１を設けてもよい。【００７９】
また第１仕切り壁１５と第２仕切り壁２５との位置を、互いに取り換えた構成にしてもよい。さらには第１仕切り壁１５と第２仕切り壁２５とに加え、所定の間隔を隔てて第３仕切り壁、あるいはさらに第４仕切り壁を設けてもよい。【００８０】
図１及び図３に示すように、底板１の第１水平フランジ部１２と、カバー２の第２水平フランジ部２２とは、帯状の接合部６によって相互に接合されて、第１領域１１と第２領域２１とによって挟まれた密閉空間５を形成する。密閉空間５には、踵側の注入口（図示せず。）から液体４を注入し、注入後に注入口を塞いで密封する。【００８１】
なお帯状の接合部６は、第１水平フランジ部１２と第２水平フランジ部２２との内周端部において、全周にわたって均一な幅となるようにする。また接合部６は、高温プレスによって熱溶着させることが望ましいが、接合剤を使用して接合してもよい。【００８２】
底板１とカバー２とは、塩化ビニル樹脂などの熱可塑性樹脂を素材として、射出成形によって成形する。液体４は、水透過性が低く蒸発し難い特性のもの、かつ腐敗しないものを使用することが望ましい。さらに液体４は、寒冷地においても凍結しないような、例えばプロピレン・グリコールを使用することがより望ましい。【００８３】
また図４に示すように、平板ブレード要素３２、３３の横幅方向の外側端部は、上端から根本部分に至る緩やかなカーブを描く形状に形成してあり、第２仕切り壁２５の内周面とは連結しない。平板ブレード要素３２、３３が押圧されたときに曲り易くして、快適なマッサージ効果を発揮させるためである。また第２仕切り壁２５の内周面と、平板ブレード要素３２、３３の横幅方向の端部との間に形成された間隙７を介して、液体４を前後方向に流れ易くし、これによって液体４の封じ込め圧力が高くなることを回避するためである。【００８４】
なお図４に示すように、密閉空間５に液体４を密封した状態において、ブレード３の高さは、このブレードの上端が第２領域２１の下面に当接する高さに形成することが望ましいが、この当接する高さよりも、高くまたは低くしてもよい。また第１仕切り壁１５及び第２仕切り壁２５の高さは、それぞれの先端が、第２領域２１の下面、及び第１領域１１の上面に当接する高さに形成することが望ましいが、この当接する高さよりも、高くまたは低くしてもよい。【００８５】
次に図８〜図１０を参照しつつ、ブレード３及び平板ブレード要素３２、３３の配置について、他の実施の形態の例を説明する。さて図８に、平板ブレード要素３２、３３の枚数と、配置とを示す。すなわち図８（Ａ）に示すブレード３は、相互にスリット３１で分離された、３枚の平板ブレード要素３２、３４、３３からなる。平板ブレード要素３２、３３は、踵側に向かって末広がりになるように配置されており、中央の平板ブレード要素３４は、第１領域１１の長手方向の中心線に直交するように配置されている。【００８６】
図８（Ｂ）に示すブレード３は、相互にスリット３１で分離された４枚の平板ブレード要素３２、３５、３６、３３からなる。平板ブレード要素３２、３３は、踵側に向かって末広がりになるように配置されており、中央の平板ブレード要素３５、３６も、踵側に向かって末広がりになるように配置されている。なお中央の平板ブレード要素３５、３６を
、第１領域１１の長手方向の中心線に直交するように配置してもよい。【００８７】
図８（Ｃ）に示すブレード３は、相互にスリット３１で分離された５枚の平板ブレード要素３２、３７、３８、３９、３３からなる。平板ブレード要素３２、３３は、踵側に向かって末広がりになるように配置されており、内側の平板ブレード要素３７、３９も、踵側に向かって末広がりになるように配置されている。中央の平板ブレード要素３８は、第１領域１１の長手方向の中心線に直交するように配置されている。なお内側の平板ブレード要素３７、３９を、第１領域１１の長手方向の中心線に直交するように配置してもよい。【００８８】
図９は、相互に隣接するブレード３のスリット３１を、スリット３１の中心線に沿う方向から見て、互いに重ならない位置に設ける形態を示している。相互に隣接するブレード３のスリット３１を、互いに重なる位置に設けると、押圧された液体４が、前後方向に流出し易くなり過ぎて、液体４の反力によって衝撃力を緩和する効果が低くなるからである。【００８９】
なお平板ブレード要素３２、３３の末広がりの角度は、１７０〜１２０度が好ましく、１６０〜１４０度がさらに好ましい。１７０度を超過する場合は、ブレード３の相互の間隙の両端から流出して、底板１とカバー２との接合部６に衝突する液体４の衝撃力を緩和する効果が低下し、１２０度未満では、歩行等において足裏等が接地する際に、横幅方向の安定感が低下するからである。本実施の形態では、略１５０度に設定してある。【００９０】
図１０に平板ブレード要素３２、３３の末広がりの形態例を示す。すなわち図１０（Ａ）は、つま先側ブレード３ａの平板ブレード要素３２、３３を、つま先側に向かって末広がりするように配置し、踵側ブレード３ｂの平板ブレード要素３２、３３を、踵側に向かって末広がりするように配置する形態を示す。【００９１】
図１０（Ｂ）は、つま先側ブレード３ａ及び踵側ブレード３ｂの平板ブレード要素３２、３３を、共に踵側に向かって末広がりするように配置する形態を示す。さらに図１０（Ｃ）は、つま先側ブレード３ａ及び踵側ブレード３ｂの平板ブレード要素３２、３３を、共につま先側に向かって末広がりするように配置する形態を示す。【００９２】
図１１〜図１２に平板ブレード要素３２、３３の末広がりの方向と、傾斜の方向との関係を示す。図１１（Ｂ）と図１２（Ｂ）とは、それぞれ平板ブレード要素３２、３３の末広がりの方向と傾斜の方向とが同じ方向である場合を示している。すなわち図１１（Ｂ）では、平板ブレード要素３２、３３の末広がりの方向と傾斜の方向とが、いずれもつま先側に向かうように配置されている。また図１２（Ｂ）では、平板ブレード要素３２、３３の末広がりの方向と傾斜の方向とが、いずれも踵側に向かうように配置されている。【００９３】
一方図１１（Ｃ）と図１２（Ｃ）とは、それぞれ平板ブレード要素３２、３３の末広がりの方向と傾斜の方向とが、互いに逆の方向である場合を示している。すなわち図１１（Ｃ）では、平板ブレード要素３２、３３は、つま先側に向かって末広がりになっているが、踵側に向かって傾斜している。また図１２（Ｃ）では、平板ブレード要素３２、３３は、踵側に向かって末広がりになっているが、つま先側に向かって傾斜している。【００９４】
なお図１０に示すつま先側ブレード３ａに最も近いブレード３ｃについては、踵側に向かって傾斜させ、踵側ブレード３ｂに最も近いブレード３ｄについては、つま先側に向かって傾斜させるのが望ましいが、それぞれ逆の方向に傾斜させてもよい。【００９５】
平板ブレード要素３２、３３等の傾斜角度は、垂直面からの傾き角度が、３０〜６０度
が望ましく、４０〜５０度がさらに望ましい。３０度未満では、足裏で押圧したときに平板ブレード要素３２、３３等が倒れ難くなって、足裏への刺激が強くなりすぎるからであり、６０度を超えると、この平板ブレード要素３２，３３が倒れ易くなって、足裏への刺激が弱くなりすぎるからである。本実施の形態では、略４５度に設定している。【００９６】
また平板ブレード要素３２、３３等の上端の断面形状は、円弧曲線等によって囲まれた形状とすることが望ましい。足裏への刺激が柔らかくなって、快適なマッサージ効果が得られるからである。【００９７】
さて図１３に、第１仕切り壁１５と第２仕切り壁２５の断面形状を、例示する。すなわち図１３（Ａ）は、矩形の根本部分に半円形の先端を形成した断面形状を示している。また図１３（Ｂ）は、先端の角部を丸くした矩形の断面形状を示している。さらに図１３（Ｃ）は、先端の角部を丸くした台形の断面形状を示している。なお第１仕切り壁１５と第２仕切り壁２５は、以上の断面形状に限られない。【００９８】
図１４においてＣの文字を付した５箇所は、従来例による靴の中底Ａにおいて、底板１とカバー２との接合部６から液体４の漏れが生じやすい位置を示している。したがって、図６及び図７に示す第１仕切り壁１５の溝または切欠き部１５１、及び第２仕切り壁２５の溝または切欠き部２５１は、これらのＣの文字を付した５箇所から外れた位置に設けることが望ましい。Ｃの文字を付した５箇所に位置する接合部６に、急速に移動する液体４が直接当たらないようにするためである。【００９９】
図１５は、本発明による履物の底部材を、上述した靴の中底Ａとして適用する場合を示している。また図１６は、本発明による履物の底部材を、靴の本底Ｂとして適用する場合を示している。
【産業上の利用の可能性】
【０１００】
歩行等において安定感を得つつ衝撃を吸収すると共に、足裏を刺激してマッサージ効果を発揮し、さらには密封した液体の漏れを防止できるため、履物に関する産業に、広く利用可能である。
【要約】
靴の中底を、底板(１)、カバー(２)、複数のブレード(３)及び液体(４)で構成する。ブレード(３)を、底板(１)に設けた第１領域(１１)に起立するように形成する。ブレード(３)を、互にスリット(３１)によって隔てられた複数の平板ブレード要素(３２、３３)から構成し、つま先側または踵側のいずれかに向って傾斜させる。平板ブレード要素（３２、３３）を、つま先側または踵側に向って末広がりになるように配置する。底板(１)とカバー(２)とを相互に接合して密閉空間(５)を形成し、この密閉空間に液体(４)を密封する。【図１】
0005695794.tif 000002
【図２】
0005695794.tif 000003
【図３】
0005695794.tif 000004
【図４】
0005695794.tif 000005
【図５】
0005695794.tif 000006
【図６】
0005695794.tif 000007
【図７】
0005695794.tif 000008
【図８】
0005695794.tif 000009
【図９】
0005695794.tif 000010
【図１０】
0005695794.tif 000011
【図１１】
0005695794.tif 000012
【図１２】
0005695794.tif 000013
【図１３】
0005695794.tif 000014
【図１４】
0005695794.tif 000015
【図１５】
0005695794.tif 000016
【図１６】
0005695794.tif 000017
【図１７】
0005695794.tif 000018